(57)【要約】【課題】通常静止している表示板を動かすことによって、人の目につきやすくし、さらに表示部を取り外して変更出来る装置を提供する。【解決手段】  モーターに取り付けた基軸にアームを介し軌道軸を連結させ、軌道軸は取り付け板受を介し表示板取り付け板に連結している。基軸の回転により、表示板取り付け板が基軸を中心に円の軌道を運動する。本発明では、表示板が円の軌道を運動する際に、基軸と軌道軸に直結されたプーリーをベルトで連結する事により、軌道軸を回転させる回転方式、軌道軸に直結するプーリーのベルトを、ベルト受に固定する事により軌道軸の向きを一定にするベルト方式、軌道軸に連なる取り付け板受にウエイトを設置して軌道軸の向きを一定にするウエイト方式の３種の方法で表示板に動きを持たせている。表示板に動きを持たせる事により、通行人の注意を促進する。【選択図】図２
2005257861.tif 000002
【特許請求の範囲】
【請求項１】
モーターに取り付けた基軸の回転により、アームを介して連結した軌道軸が、動力の回転により基軸を中心に円の軌道を運動し、請求項２〜４の３種の方法により、軌道軸に連なる表示板に動きを持たせる表示装置。
【請求項２】
請求項１の装置に、基軸と軌道軸に直結したプーリーを介してベルトを引っ掛け、基軸と軌道軸を連結させる事により、基軸の回転に伴い軌道軸も回転し、表示板を回転させながら基軸を中心に円の軌道を運動する装置。
【請求項３】
請求項１の装置に、軌道軸と直結させたプーリーに取り付けたベルトを、ベルト受に引っ掛けて固定させることにより、軌道軸の向きを固定し、表示板を一定の向きに保持しながら、基軸を中心に円の軌道を運動する装置。
【請求項４】
請求項１の装置に、軌道軸と表示板取り付け板を連結している取り付け板受にウエイトを取り付けることにより、軌道軸の向きを固定し、表示板を一定の向きに保持しながら、基軸を中心に円の軌道を運動する装置。
【請求項５】
カバーは上下２分割とし、上カバーは下カバーより若干大きく、各々重ね合わせる機構。
【発明の詳細な説明】
【技術分野】
【０００１】
本発明は工事現場やイベント会場及び店頭で、通行人、通行車輛から表示板をより気付きやすくさせるための円の軌道を運動する表示装置に関する。
【背景技術】
【０００２】
主に看板を動かそうとする装置はどうしても大掛かりになる。その他交通整理用を目的として、スイングアームにライトを取り付け、モーターで駆動させるロボットが使用されている。また看板に棒状のライトを取り付けてライトを動かすもの（特許文献１参照）もあるが、表示内容そのものが動くわけではない。
【特許文献１】特開２００２−２８５５１８
【発明の開示】
【発明が解決しようとする課題】
【０００３】
通常設置している表示板は静止した状態では通行人の目に付きにくい。しかし、従来の技術ではこれらを動かすロボット装置は複雑又は高価で、また一度作ると表示内容が決まってしまい、使用内容が限られるという問題点があった。
【０００４】
本発明は、表示板の表示部を動かすだけでなく、従来のもののように使用目的を限定しないためのものである。
【課題を解決するための手段】
【０００５】
装置を安価に押さえる為に複雑な機構は使用せずに、モーターに取り付けられた基軸にアームを介して軌道軸を連結させ、軌道軸は取り付け板受を介して表示板取り付け板に連結している。基軸の回転により、表示板取り付け板が基軸を中心に円の軌道を運動する。本発明では、表示板が円の軌道を運動する際に、次の３種の方法で表示板に動きを持たせている。表示板に動きを持たせる事により、通行人の注意を促進する。
【０００６】
０００５の装置に、基軸と軌道軸に直結したプーリーを介してベルトを引っ掛け、基軸と軌道軸を連結させると、基軸の回転に伴い軌道軸も回転する。これにより、表示板が回転しながら基軸を中心に円の軌道を運動する。
【０００７】
０００５の装置に、軌道軸と直結させたプーリーに取り付けたベルトを、ベルト受に引っ掛けて固定させると、軌道軸が回転せず一定の向きで固定する。これにより、表示板が一定の向きで固定されたまま、基軸を中心に円の軌道を運動する。
【０００８】
０００５の装置に、軌道軸と表示板取り付け板を連結させている取り付け板受に、ウエイト連結板を介してウエイトを取り付ける事で、軌道軸が回転せず一定の向きで固定する。これにより、表示板が一定の向きで固定されたまま、基軸を中心に円の軌道を運動する。
【０００９】
本発明では表示板を回転させる際、プーリーを利用したベルト方式を使用しているが、表示板の回転方向と、基軸を中心に円の軌道を運動する際の方向が異なってもかまわないのであれば、ギアを使用しても表示板の回転は可能である。
【００１０】
台に付けたキャスターにより、本発明を移動させる事が出来る。また、台の端部にオモリを取り付けることにより、本発明の使用時に転倒を防ぐ。
【００１１】
カバーは上下２分割とし、上カバーは下カバーより若干大きく、各々重ね合わせる。
【発明の効果】
【００１２】
上述のように、表示板の表示部を動かす事で通行人や通行車輛の目に付きやすくする。
【００１３】
キャスターを取り付けた台の端部にオモリを取り付けることにより、本発明の使用時に転倒を防ぎ、人が多く出入りする場にも安全に設置出来る。
【００１４】
カバーは上下２分割とし、上カバーは下カバーより若干大きく、各々重ね合わせる。カバーを設置した際、前方は、下カバーが連結基板よりも後方に設置され、上カバーが連結基板よりも前方に設置される。上下カバー、連結基板がいずれも重ね合わさる為、水などの内部への浸入を防ぐ事が出来る。
【発明を実施するための最良の形態】
【００１５】
以下、本発明の形態を図１〜図７に基づいて説明する。
【００１６】
図において１３を動力として回転する１２に、１１を介して９を連結させ、９は７を介して１又は２に連結している。よって１２の回転により１又は２が１２を中心に円の軌道を運動する。本発明では、１又は２が円の軌道を運動する際に、次の００１８〜００２０の３種の方法で表示板に動きを持たせている。
【００１７】
６を取り付けた台の端部に５を設置することにより、使用時の転倒を防ぎ、安全に設置出来る。
【００１８】
図１は１を回転させながら円の軌道を運動する本発明の全体図、図２は図１にある３内のA−A断面図を示している。００１６の装置に、１２に１４、９に１０を直結させ、１４、１０に８を引っ掛けて１２と９を連結させ、１２の回転に伴い９も回転させる。よって、１２の回転により１が回転しながら１２を中心に円の軌道を運動する。
【００１９】
図３はベルト方式により、２を一定の向きに保持しながら円の軌道を運動する本発明の全体図、図４は図３にある３内のB−B断面図を示している。００１６の装置に、９と直結させた１０に取り付けた８を、１６に引っ掛けて固定させると、９が一定の向きで固定し、１２が回転すれば、２が一定の向きを保持したままで１２を中心に円の軌道を運動する。
【００２０】
図５はウエイト方式により、２を一定の向きに保持しながら円の軌道を運動する本発明の全体図、図６は図５にある３内のC−C断面図を示している。００１６の装置に、９と２を連結させている７に１８を介して１７を取り付けると、９が一定の向きで固定し、１２が回転すれば、２が一定の向きを保持したままで１２を中心に円の軌道を運動する。
【００２１】
図７は３の詳細側面図及び正面図を示している。３ａを３ｂの上にかぶせ、後方に２０を取り付ける。これら３つのカバーは４に設置されている１９により連結されている。
【図面の簡単な説明】
【００２２】
【図１】表示板回転式  全体側面図及び正面図
【図２】図１A−A断面図
【図３】表示板ベルト固定式  全体側面図及び正面図
【図４】図３B−B断面図
【図５】表示板ウエイト固定式  全体側面図及び正面図
【図６】図５C−C断面図
【図７】カバー詳細側面図及び断面図
【符号の説明】
【００２３】
回転表示板用取り付け板
表示板取り付け板
カバー
３a．カバー上部
３b．カバー下部
支柱
転倒防止用オモリ
キャスター
取り付け板受
ベルト
軌道軸
１０．軌道軸プーリー
１１．アーム
１２．基軸
１３．モーター
１４．基軸プーリー
１５．連結基板
１６．ベルト受
１７．方向固定用ウエイト
１８．ウエイト連結板
１９．カバー連結板
２０．モーターカバー
【図１】
2005257861.tif 000003
【図２】
2005257861.tif 000004
【図３】
2005257861.tif 000005
【図４】
2005257861.tif 000006
【図５】
2005257861.tif 000007
【図６】
2005257861.tif 000008
【図７】
2005257861.tif 000009